(57)【要約】【課題】受診順序を好適に決定すること。【解決手段】実施形態によれば、情報処理システムは、生体センサ装置と電子機器とを具備する。生体センサ装置は、生体情報を連続的に計測する計測手段を含む。電子機器は、第１取得手段、生成手段、算出手段及び決定手段を含む。第１取得手段は、連続的に計測された生体情報を含む生体情報群を生体センサ装置から取得する。生成手段は、生体情報群を時系列解析して、生体センサ装置を装着した患者の定常状態をモデル化したモデル情報を生成する。算出手段は、生体情報群とモデル情報とに基づいて、生体情報群に含まれる生体情報の変化の仕方がモデル情報により示される患者の定常状態からどれだけ逸脱しているのかを示す逸脱度を算出する。決定手段は、患者が医療機関を来訪した時刻と逸脱度とに基づいて、患者の受診順序を決定する。【選択図】図４
2015114761.tif 000002
【特許請求の範囲】
【請求項１】
生体センサ装置と電子機器とを具備する情報処理システムであって、
前記生体センサ装置は、生体情報を連続的に計測する計測手段を含み、
前記電子機器は、
前記連続的に計測された生体情報を含む生体情報群を前記生体センサ装置から取得する第１取得手段と、
前記生体情報群を時系列解析して、前記生体センサ装置を装着した患者の定常状態をモデル化したモデル情報を生成する生成手段と、
前記生体情報群と前記モデル情報とに基づいて、前記生体情報群に含まれる生体情報の変化の仕方が前記モデル情報により示される患者の定常状態からどれだけ逸脱しているのかを示す逸脱度を算出する算出手段と、
前記患者が医療機関を来訪した時刻と前記逸脱度とに基づいて、前記患者の受診順序を決定する決定手段と
を含むことを特徴とする情報処理システム。
【請求項２】
前記計測手段は、
前記患者の体温、皮膚温、脈拍数、心拍数、自律神経活動指標、血圧及び睡眠時間のうちの少なくとも１つの項目を連続的に計測することを特徴とする請求項１に記載の情報処理システム。
【請求項３】
前記生成手段は、
前記生体情報群に含まれる生体情報のうち、定常状態であることを示すタグ情報が付された生体情報を、自己回帰モデルまたは確率遷移モデルを用いて時系列解析して、前記モデル情報を生成することを特徴とする請求項１に記載の情報処理システム。
【請求項４】
前記決定手段は、
前記患者が医療機関に来訪した時刻と前記逸脱度とに基づいて優先度を算出し、この優先度の大きさにしたがって前記受診順序を決定することを特徴とする請求項１に記載の情報処理システム。
【請求項５】
前記決定手段は、
前記生体情報群に含まれる生体情報の数が所定の数より少ない場合、前記逸脱度に対する重みづけを小さくして前記優先度を算出することを特徴とする請求項４に記載の情報処理システム。
【請求項６】
前記決定手段は、
前記患者が受診する診療科毎に、前記逸脱度に対する重みづけを変更して前記優先度を算出することを特徴とする請求項４に記載の情報処理システム。
【請求項７】
前記生体センサ装置は、
前記生体情報群を外部機器に送信する第１送信手段をさらに含み、
前記電子機器は、
前記生体情報群を前記外部機器から取得する第２取得手段と、
前記受診順序を示す順序情報を前記外部機器に送信する第２送信手段とをさらに含むことを特徴とする請求項１に記載の情報処理システム。
【請求項８】
前記生体センサ装置は、
前記生体情報群を外部機器を介してサーバ装置に送信する第３送信手段をさらに含み、
前記電子機器は、
前記生体情報群を前記サーバ装置から取得する第３取得手段と、
前記受診順序を示す順序情報を前記外部機器に送信する第４送信手段とをさらに含むことを特徴とする請求項１に記載の情報処理システム。
【請求項９】
生体情報を連続的に計測可能な生体センサ装置と通信可能に接続された電子機器であって、
前記連続的に計測された生体情報を含む生体情報群を前記生体センサ装置から取得する第１取得手段と、
前記生体情報群を時系列解析して、前記生体センサ装置を装着した患者の定常状態をモデル化したモデル情報を生成する生成手段と、
前記生体情報群と前記モデル情報とに基づいて、前記生体情報群に含まれる生体情報の変化の仕方が前記モデル情報により示される患者の定常状態からどれだけ逸脱しているのかを示す逸脱度を算出する算出手段と、
前記患者が医療機関を来訪した時刻と前記逸脱度とに基づいて、前記患者の受診順序を決定する決定手段と
を具備することを特徴とする電子機器。
【請求項１０】
前記生成手段は、
前記生体情報群に含まれる生体情報のうち、定常状態であることを示すタグ情報が付された生体情報を、自己回帰モデルまたは確率遷移モデルを用いて時系列解析して、前記モデル情報を生成することを特徴とする請求項９に記載の電子機器。
【請求項１１】
前記決定手段は、
前記患者が医療機関に来訪した時刻と前記逸脱度とに基づいて優先度を算出し、この優先度の大きさにしたがって前記受診順序を決定することを特徴とする請求項９に記載の電子機器。
【請求項１２】
生体情報を連続的に計測可能な生体センサ装置と通信可能に接続された電子機器によって実行される方法であって、
前記連続的に計測された生体情報を含む生体情報群を前記生体センサ装置から取得することと、
前記生体情報群を時系列解析して、前記生体センサ装置を装着した患者の定常状態をモデル化したモデル情報を生成することと、
前記生体情報群と前記モデル情報とに基づいて、前記生体情報群に含まれる生体情報の変化の仕方が前記モデル情報により示される患者の定常状態からどれだけ逸脱しているのかを示す逸脱度を算出することと、
前記患者が医療機関を来訪した時刻と前記逸脱度とに基づいて、前記患者の受診順序を決定することと
を具備することを特徴とする方法。
【請求項１３】
前記生成することは、
前記生体情報群に含まれる生体情報のうち、定常状態であることを示すタグ情報が付された生体情報を、自己回帰モデルまたは確率遷移モデルを用いて時系列解析して、前記モデル情報を生成することを特徴とする請求項１２記載の方法。
【請求項１４】
前記決定することは、
前記患者が医療機関に来訪した時刻と前記逸脱度とに基づいて優先度を算出し、この優先度の大きさにしたがって前記受診順序を決定することを特徴とする請求項１２記載の方法。
【請求項１５】
コンピュータにより実行されるプログラムであって、前記プログラムは前記コンピュータを、
前記連続的に計測された生体情報を含む生体情報群を前記生体センサ装置から取得する第１取得手段と、
前記生体情報群を時系列解析して、前記生体センサ装置を装着した患者の定常状態をモデル化したモデル情報を生成する生成手段と、
前記生体情報群と前記モデル情報とに基づいて、前記生体情報群に含まれる生体情報の変化の仕方が前記モデル情報により示される患者の定常状態からどれだけ逸脱しているのかを示す逸脱度を算出する算出手段と、
前記患者が医療機関を来訪した時刻と前記逸脱度とに基づいて、前記患者の受診順序を決定する決定手段として動作させるプログラム。
【請求項１６】
前記生成手段は、
前記生体情報群に含まれる生体情報のうち、定常状態であることを示すタグ情報が付された生体情報を、自己回帰モデルまたは確率遷移モデルを用いて時系列解析して、前記モデル情報を生成することを特徴とする請求項１５に記載のプログラム。
【請求項１７】
前記決定手段は、
前記患者が医療機関に来訪した時刻と前記逸脱度とに基づいて優先度を算出し、この優先度の大きさにしたがって前記受診順序を決定することを特徴とする請求項１５に記載のプログラム。
【発明の詳細な説明】
【技術分野】
【０００１】
本発明の実施形態は、医療機関において受診順序を決定するための情報処理システム、電子機器、方法及びプログラムに関する。
【背景技術】
【０００２】
一般に、医療機関で患者に対して診察を行う順序は、患者が来訪（来院）した順序または来院予約をした順序に準ずることが多い。この場合、症状が重く、優先して診察されるべき患者への診察が後回しになる恐れがある。
【先行技術文献】
【特許文献】
【０００３】
【特許文献１】特開２０１１−１６４９７３号公報
【特許文献２】米国特許出願公開第２０１１／０１３０６３５号明細書
【発明の概要】
【発明が解決しようとする課題】
【０００４】
このため、医療機関で患者に対して診察を行う順序を、患者の自己申告による症状の重さに応じて決定すると、虚偽申告が行われる恐れがあり、受診の順序（以下、受診順序と表記）を公平に決定することができないという不都合がある。
【０００５】
本発明の一形態の目的は、受診順序を好適に決定し得る情報処理システム、電子機器、方法及びプログラムを提供することである。
【課題を解決するための手段】
【０００６】
実施形態によれば、情報処理システムは、生体センサ装置と電子機器とを具備する。前記生体センサ装置は、生体情報を連続的に計測する計測手段を含む。前記電子機器は、第１取得手段、生成手段、算出手段及び決定手段を含む。前記第１取得手段は、前記連続的に計測された生体情報を含む生体情報群を前記生体センサ装置から取得する。前記生成手段は、前記生体情報群を時系列解析して、前記生体センサ装置を装着した患者の定常状態をモデル化したモデル情報を生成する。前記算出手段は、前記生体情報群と前記モデル情報とに基づいて、前記生体情報群に含まれる生体情報の変化の仕方が前記モデル情報により示される患者の定常状態からどれだけ逸脱しているのかを示す逸脱度を算出する。前記決定手段は、前記患者が医療機関を来訪した時刻と前記逸脱度とに基づいて、前記患者の受診順序を決定する。
【図面の簡単な説明】
【０００７】
【図１】一実施形態に係る情報処理システムの概略構成例を示す図。
【図２】同実施形態に係る生体センサ装置の裏面（生体に密着する面）の一例を示す平面図。
【図３】同実施形態に係る生体センサ装置の回路構成の一例を示すブロック図。
【図４】同実施形態に係る電子機器の機能構成を示すブロック図。
【図５】同実施形態に係る電子機器により算出される逸脱度を説明するための図。
【図６】同実施形態に係る電子機器により実行される処理の手順を示すフローチャート。
【図７】同実施形態に係る情報処理システムの別の構成を示す図。
【図８】同実施形態に係る情報処理システムのさらに別の構成を示す図。
【図９】同実施形態に係る情報処理システムのさらに別の構成を示す図。
【発明を実施するための形態】
【０００８】
以下、実施の形態について図面を参照して説明する。
【０００９】
図１は、一実施形態に係る情報処理システムの概略構成例を示すブロック図である。この情報処理システムは、図１に示すように、生体センサ装置１０及び電子機器１１が通信可能に接続されたシステムである。生体センサ装置１０は小型・軽量・薄型であり、電池（例えば、内蔵の２次電池）で駆動される。生体センサ装置１０は、生体情報を常時計測可能とするために、例えば、接着テープ等により人体に貼り付けられる。しかし、人体への装着法は貼り付けによる装着以外にも、リストバンドによる装着、イヤホンによる装着でもよい。生体センサ装置１０は例えば脈波、心電図、体温、体動等の複数の生体情報を同時に計測し、無線で電子機器１１に送出する機能を有する。なお、電子機器１１に送出する前に、生体センサ装置１０内部のフラッシュメモリ５０に一時的に蓄えておくことも可能である。生体センサ装置１０は電子機器１１からの制御信号等を無線で受信する機能も有する。なお、生体センサ装置１０は、生体情報を電子機器１１に送出する際に、生体センサ装置１０固有の識別情報を共に電子機器１１に送出してもよい。また、生体センサ装置１０は、計測した複数の生体情報のうちの１つの生体情報だけを電子機器１１に送出してもよい。あるいは、計測する生体情報は１つの生体情報だけであってもよい。
【００１０】
電子機器１１内のコンピュータ１２は、図１に示すように、例えばハードディスクドライブ（HDD: Hard Disk Drive）のような外部記憶装置１３と接続されている。この外部記憶装置１３は、コンピュータ１２によって実行されるプログラム１４を格納する。コンピュータ１２及び外部記憶装置１３は、電子機器１１を構成する。このような電子機器１１は、ハードウェア構成、又はハードウェア資源とソフトウェアとの組み合わせ構成のいずれも実施可能となっている。組み合わせ構成のソフトウェアとしては、予めネットワーク又は外部記憶装置１３からコンピュータ１２にインストールされ、電子機器１１の各機能を実現させるためのプログラム１４が用いられる。
【００１１】
まず、生体センサ装置１０について詳しく説明する。
【００１２】
生体センサ装置１０は複数の生体情報を同時に計測できるように、複数のセンサを有するが、複数のセンサのアナログフロントエンドは、センサ毎に仕様が異なるために、柔軟性と高性能の両立が要求され、大型化してしまうことがある。しかしながら、本実施形態では、擬似ＳｏＣ技術を用いて複数のアナログフロントエンドと、ＣＰＵ等をシングルチップ上に集積することにより、数ミリメートル四方のセンサモジュールが実現される。擬似ＳｏＣ技術とは、ウエハ上に部品を集積することにより、ＳｏＣ相当の小型化と、ＳｉＰ相当の設計自由度を両立した技術である。このモジュールにアンテナと電池等のわずかな周辺部品を接続することにより、小型・軽量（１０数グラム程度）・薄型（数ｍｍ程度）の生体センサ装置１０が実現される。なお、部品内蔵基板技術や専用ＬＳＩを用いた構成により小型化を実現することも可能である。
【００１３】
生体センサ装置１０は、例えば、長軸が数センチメートル程度の楕円形状であり、図２に示すように、人体への接着面には心電図電極（Ｒ）２０ａ、心電図電極（Ｌ）２０ｂ、光電ユニット２２、温度センサ２４、充電用の端子２６が配置される。心電図電極２０ａ、２０ｂは心臓の左右に位置することが必要であるので、長軸に沿って間隔を空けて配置される。光電ユニット２２は光学的に脈波を検出するものであり、その前面には光を透過する透明な材質の窓部が設けられている。
【００１４】
図３は、生体センサ装置１０の回路構成を示すブロック図である。生体センサ装置１０は上記した心電図電極２０ａ、２０ｂ、光電ユニット２２、温度センサ２４、充電用の端子２６に加えて、心電計３０、加速度センサ３２、脈波計３４、ブルーツース（登録商標）モジュール３６、システムコントローラ３８、エンベデッドコントローラ（ＥＣ）４０、リチウム２次電池４２、ＣＰＵ４４、主メモリ４６、ＢＩＯＳ−ＲＯＭ４８、フラッシュメモリ５０等を含む。
【００１５】
心電図電極（Ｒ）２０ａ、心電図電極（Ｌ）２０ｂが心電図用のアナログフロントエンドである心電計３０に接続される。心電計３０は心電図電極（Ｒ）２０ａ、心電図電極（Ｌ）２０ｂ間の電位差をサンプリングした時系列信号を解析することにより心電図を得る。さらに、心電計３０は心電図から心拍数を求めるとともに、連続する２つの心拍それぞれに対応する２つのＲ波間の間隔であるＲ−Ｒ間隔（ＲＲＩ）を求める。
【００１６】
光電ユニット２２は容積脈波を検知するためのものであり、光源である発光素子（例えば緑色ＬＥＤ）２２ａと、受光部であるフォトダイオード（ＰＤ）２２ｂを含む。光電ユニット２２の前面には透明な窓部が設けられ、窓部を通して青色ＬＥＤ２２ａからの光が皮膚表面に照射され、反射光が窓部を通してＰＤ２２ｂに入射される。緑色ＬＥＤ２２ａと、ＰＤ２２ｂが脈波用のアナログフロントエンドである脈波計３４に接続される。脈波計３４は毛細血管内の血流変化により変化する反射光の変動を検知し、この検知信号を解析することにより脈波を求め、脈拍数を求める。
【００１７】
心電計３０、加速度センサ３２、脈波計３４、温度センサ２４がシステムコントローラ３８に接続される。温度センサ２４は人体の体表面の温度を測定し、加速度センサ３２は人体の体動を測定する。
【００１８】
ＣＰＵ４４は生体センサ装置１０の各モジュール、各コンポーネントの動作を制御するプロセッサである。上記したように、生体センサ装置１０は各センサの出力、あるいは複数のセンサの出力の組み合わせを解析することにより、種々の生体情報（例、体温、皮膚温、脈拍数、心拍数、自律神経活動指標、血圧、睡眠時間等）を連続的に計測することができる。
【００１９】
なお、血圧は心電図波形のピーク（Ｒ波のピーク）と脈波のピークとに基づいた脈波伝搬時間（PWTT：Pulse Wave Transit time）に基づいて求められる。脈波伝搬時間は心電図のＲ波の出現から末梢の脈波が出現するまでの時間間隔を示す。脈波伝搬時間は血圧値と反比例の関係を有する。したがって、脈波伝搬時間（ＰＷＴＴ）から血圧の変動を求めることができる。なお、血圧の測定においては、血圧値と脈波伝搬時間との関係を示す初期値を予め決めておいてもよい。例えば、通常の血圧測定器で測定されるユーザの血圧値とこの時の脈波伝搬時間とを初期値として予めフラッシュメモリ５０に格納しておいてもよい。現在の脈波伝搬時間（ＰＷＴＴ）から求められる血圧の変動と、この初期値（血圧値と脈波伝搬時間との関係）とを使用して、ユーザの現在の血圧値を求めることができる。あるいは、通常の血圧測定器で測定されるユーザの血圧値とこの時の脈波伝搬時間とを初期値として入力する代わりに、血圧値と脈波伝搬時間との関係を示す標準的なデータを用意しておき、この標準的なデータと、現在の脈波伝搬時間（ＰＷＴＴ）から求められる血圧の変動とを使用して、ユーザの現在の血圧値を求めるようにしてもよい。また、自律神経活動指標は前述したＲＲＩの時系列を周波数解析することにより求めることが可能である。また、睡眠時間はたとえばＣｏｌｅ式と呼ばれる式で求めることが出来る。
【００２０】
システムコントローラ３８は、ＣＰＵ４４と各モジュール、各コンポーネントとの間を接続するブリッジデバイスである。システムコントローラ３８には、ブルーツースモジュール３６、エンベデッドコントローラ（ＥＣ）４０、ＣＰＵ４４、主メモリ４６、ＢＩＯＳ−ＲＯＭ  ４８、フラッシュメモリ５０も接続される。
【００２１】
エンベデッドコントローラ４０は、生体センサ装置１０の電力管理を実行するための電力管理コントローラであり、内蔵の２次電池、例えばリチウム２次電池４２の充電を制御する。生体センサ装置１０が充電器５２に装着されると、充電端子２６が充電器５２の端子に接触し、充電端子２６を介して充電器５２からの充電電流が生体センサ装置１０に供給され、リチウム２次電池４２が充電される。エンベデッドコントローラ４０は、リチウム２次電池４２からの電力に基づいて各モジュール、各コンポーネントへ動作電源を供給する。
【００２２】
次に、電子機器１１について詳しく説明する。
【００２３】
電子機器１１は、図４に示すように、受診受付部１１１、生体情報受信部１１２、生体情報解析部１１３、受診順序決定部１１４及び受診順序出力部１１５等を備えている。以下では、電子機器１１を構成する各部１１１乃至１１５の機能について説明する。
【００２４】
受診受付部１１１は、患者が医療機関（例、病院、クリニック等）に来訪（来院）したことを示す受付情報の入力を受け付ける（受付情報を受信する）。受付情報は、患者を識別するための識別情報である患者識別情報と、患者が医療機関に来訪し、受付した時刻（受付時刻）を示す時刻情報とを少なくとも含む。入力された受付情報は、生体情報受信部１１２及び受診順序決定部１１４に送られる。
【００２５】
受付情報は、医師や看護師によって図示しない入力機器から手動で入力されてもよい。また、受付情報は、患者が医療機関に来訪した際に提示され、患者識別情報を少なくとも記憶する情報記憶媒体（例、診察カード等）を読取可能な図示しない専用機器から送信されてもよい。なお、受診受付部１１１自体が、上記した専用機器と同様な機能を有してもよい。この場合、受診受付部１１１は、情報記憶媒体に対して読取処理を実行することで、当該情報記憶媒体に記憶された患者識別情報と、当該読取処理が実行された時刻（受付時刻）を示す時刻情報とを含む受付情報の入力を受け付ける。
【００２６】
生体情報受信部１１２は、受診受付部１１１から送られる受付情報の入力を受け付けると、生体センサ装置１０に記憶された生体情報（生体情報群）を送信するよう患者に要求する。例えば、生体情報受信部１１２は、図示しない表示機器に生体情報を送信することを促す旨のメッセージを表示させることで、生体情報を送信するよう患者に要求する。生体情報受信部１１２は、上記した要求に応じて、生体センサ装置１０から送信される生体情報群の入力を受け付ける（生体情報群を受信する）。入力された生体情報群は、生体情報解析部１１３に送られる。なお、生体センサ装置１０に記憶された生体情報を送信するよう患者に要求してから一定期間経過しても生体情報が送信されてこない場合、生体情報受信部１１２は、患者が生体センサ装置１０を装着していないと認識し、この旨を受診順序決定部１１４に通知する。
【００２７】
生体情報解析部１１３は、生体情報受信部１１２から送られる生体情報群の入力を受け付けると、入力された生体情報群を時系列解析して、患者の定常状態をモデル化したモデル情報を生成する。時系列解析の具体的な手法としては、例えば、自己回帰モデルや確率遷移モデル（状態遷移モデル）等が用いられる。
【００２８】
なお、生体情報解析部１１３は、入力された生体情報群に含まれる複数の生体情報のうち、定常状態時の生体情報を、モデル情報を生成するために使用する。定常状態時の生体情報とは、定常状態である旨を示すタグが付された生体情報であり、当該タグは、例えば、生体センサ装置１０と連携可能な外部機器を用いて患者により定常状態である旨が入力されることで生体情報に付すことができる。また、上記タグは、例えば、上記外部機器を用いて患者により医療機関を来訪していない旨が入力されることで生体情報に付されるとしてもよい。
【００２９】
また、生体情報解析部１１３は、入力された生体情報群に含まれる複数の生体情報が複数項目に関する計測値を含む場合、これら項目毎にモデル情報を生成する。例えば、入力された生体情報が体温と心拍数とに関する計測値を含む生体情報である場合、生体情報解析部１１３は、体温に関するモデル情報と、心拍数に関するモデル情報とを生成する。
【００３０】
自己回帰モデルは時系列解析の手法の一つであり、この自己回帰モデルが時系列解析の手法として用いられる場合、生体情報解析部１１３は、以下に示す（１）式を用いて生体情報の値を予測（予測値を算出）して、患者の定常状態をモデル化する。
【数１】
2015114761.tif 000003
【００３１】
すなわち、生体情報解析部１１３は、所定の時間における所定の生体情報の値を、当該所定の時間以前の生体情報に含まれる計測値から予測して、患者の定常状態をモデル化したモデル情報を生成する。上記ｔは時間（年月日時分秒）を示す変数である。上記ｘ（ｔ）は時間ｔにおける生体情報の予測値を算出するための関数である。上記ｉは１からＮまでのいずれかを示す変数であり、上記Ｎはモデル情報を生成するために用いられる生体情報の数である。上記ａ０は定数項である。上記ａｉは係数項であり、最小二乗法やBurg法等、公知の方法を用いて算出される。なお、定数項ａ０及び係数項ａｉが求まれば、生体情報の予測値を適宜求めることができるため、通常、定数項ａ０及び係数項ａｉを求めるまでをモデル化と呼ぶが、ここでは、上記（１）式を用いて生体情報の予測値を算出し、当該算出した予測値を用いて定常状態時に起こり得る変化を予測するまでをモデル化と呼ぶ。
【００３２】
確率遷移モデルは自己回帰モデルと同様に時系列解析の手法の一つであり、この確率遷移モデルが時系列解析の手法として用いられる場合、生体情報解析部１１３は、状態ｍから状態ｎに遷移する確率を算出して、患者の定常状態をモデル化する。状態ｍ及び状態ｎは予め定義されており、例えば「体温が高い状態」、「体温が低い状態」、「心拍数が高い状態」、「心拍数が低い状態」等を示す。
【００３３】
詳しくは、生体情報解析部１１３は、入力された生体情報群に含まれる複数の生体情報のうち、連続した２つの生体情報に含まれる計測値に基づいて、状態ｍから状態ｎに遷移した回数を数える。また、生体情報解析部１１３は、状態遷移の総数と、状態ｍから状態ｎに遷移した回数とに基づいて、状態ｍから状態ｎに遷移する確率を算出する。この場合、状態ｍから状態ｎに遷移する確率を算出するまでをモデル化と呼ぶ。
【００３４】
以上のようにして、生体情報解析部１１３は患者の定常状態をモデル化する処理を実行して、当該処理結果を示すモデル情報を生成する。
【００３５】
生体情報解析部１１３は、モデル情報を生成すると、入力された生体情報群に含まれる複数の生体情報のうちの最新（現在）の生体情報が、モデル情報により示される患者の定常状態からどれだけ逸脱しているかを示す逸脱度を算出する。算出された逸脱度を示す解析結果情報は、受診順序決定部１１４に送られる。
【００３６】
例えば、モデル情報が自己回帰モデルを用いて生成されている場合、生体情報解析部１１３は、図５に示すように、最新の生体情報に含まれる計測値（図５中の白丸）と、モデル情報により示される上記計測値に対応する予測値（図５中の破線の丸）との差分に基づいて逸脱度を算出する。ここでは、逸脱度は計測値と予測値との差分そのものであってもよいし、差分が大きくなる程大きくなる任意の評価値であってもよい。
【００３７】
また、モデル情報が確率遷移モデルを用いて生成されている場合、まず生体情報解析部１１３は、入力された生体情報群に含まれる複数の生体情報のうちの最新の生体情報が予め定義された複数の状態のいずれに該当しているのかを認識する（状態ｎを認識する）。次に、生体情報解析部１１３は、最新の生体情報の直前に連続して計測された計測値を含む生体情報が予め定義された複数の状態のいずれに該当しているのかを認識する（状態ｍを認識する）。その後、生体情報解析部１１３は、モデル情報により示される状態ｍから状態ｎに遷移する確率を参照して、状態ｍから状態ｎに遷移することが、確率の高い状態遷移であるか、中程度の確率の状態遷移であるか、または確率の低い状態遷移であるかを判断して、逸脱度を算出する。例えば、上記した判断の結果、状態ｍから状態ｎに遷移することが確率の高い状態遷移である場合、生体情報解析部１１３は、確率の高い状態遷移である程小さくなる任意の評価値を逸脱度として算出する。
【００３８】
受診順序決定部１１４は、受診受付部１１１から送られる受付情報の入力を受け付ける。また、受診順序決定部１１４は、生体情報受信部１１２から送られる患者が生体センサ装置１０を装着していない旨の通知の入力を受け付ける。さらに、受診順序決定部１１４は、生体情報解析部１１３から送られる解析結果情報の入力を受け付ける。
【００３９】
受診順序決定部１１４は、各種情報の入力を受け付けると、受付情報に含まれる時刻情報と、解析結果情報とに基づいて受診順序を決定する。詳しくは、受診順序決定部１１４は、以下に示す（２）式を用いて、優先度を算出し、この優先度に基づいて受診順序を決定する。
【００４０】
優先度＝α１×ｆ１（受付時刻）＋α２×ｆ２（逸脱度）                  …（２）
上記ｆ１（受付時刻）は、入力された受付情報に含まれる時刻情報により示される受付時刻が早い程、値が大きくなる任意の関数を示す。上記ｆ２（逸脱度）は、入力された解析結果情報により示される逸脱度が大きい程、値が大きくなる任意の関数を示す。但し、生体情報受信部１１２から送られる患者が生体センサ装置１０を装着していない旨の通知を受けている場合、上記ｆ２（逸脱度）は０になるものとする。上記α１、α２は係数項である。なお、係数項α１、α２は、適宜変更可能な値である。例えば、生体センサ装置１０を装着し始めたばかりの患者の場合、所定の時間以前の生体情報の数（項目毎の計測値）が少ない、すなわち、生体情報による時系列の長さが短いため、生体情報解析部１１３によって患者の定常状態を正確にモデル化することができない可能性があり、ひいては、逸脱度を正確に算出することができない可能性がある。このため、係数項α２の値を通常より小さい値に変更することで、受診順序決定部１１４は、生体センサ装置１０を装着し始めたばかりの患者の優先度も精度良く算出することができる。なお、生体センサ装置１０を装着し始めたばかりの患者の場合、一般的な患者の生体情報の平均値を代わりに使用して、最新の生体情報に含まれる計測値と上記平均値とに基づいた逸脱度を生体情報解析部１１３に算出させることで、受診順序決定部１１４は、生体センサ装置１０を装着し始めたばかりの患者の優先度を精度良く算出することができる。
【００４１】
なお、電子機器１１に入力された生体情報が複数項目に関する計測値を含み、モデル情報が項目毎に生成され、生成された各モデル情報に基づいて項目毎に逸脱度が算出される場合、受診順序決定部１１４は、以下に示す（３）式を用いて、優先度を算出することができる。下記（３）式では、生体情報が、体温、心拍数及び血圧に関する計測値を含む場合を想定する。
【００４２】
優先度＝α１×ｆ１（受付時刻）＋α２×ｆ２（体温の逸脱度）  
＋α３×ｆ３（心拍数の逸脱度）＋α４×ｆ４（血圧の逸脱度）    …（３）
上記（３）式では、係数項α２乃至α４は診療科毎に異なる値に設定されてもよい。例えば、内科では高熱の患者を優先するために、係数項α２の値が、係数項α３、α４の値に比べて大きな値に設定されてもよい。また、外科では出血量の多い可能性のある患者を優先するために、係数項α３、α４の値が、係数項α２の値に比べて大きな値に設定されてもよい。
【００４３】
以上のようにして、受診順序決定部１１４は優先度を算出する。なお、上記（２）式及び（３）式は、医師の判断を数値化した変数αｎをさらに含むとしてもよい。この場合、受診順序決定部１１４は、上記（２）式及び（３）式を用いて算出される優先度に、変数αｎをさらに加算することで、新たな優先度を算出する。
【００４４】
受診順序決定部１１４は、優先度を算出すると、算出した優先度にしたがって受診順序を決定する。ここでは、受診順序決定部１１４は、優先度の値が大きい患者程、受診順序が早くなるようにして受診順序を決定する。決定された受診順序を示す順序情報は、受診順序出力部１１５に送られる。なお、受診順序決定部１１４によって決定された受診順序は、医師や看護師によって適宜変更されてもよい。この場合、変更後の受診順序が最終的に決定された受診順序となり、当該受診順序を示す順序情報が受診順序出力部１１５に送られる。
【００４５】
受診順序出力部１１５は、受診順序決定部１１４から送られる順序情報の入力を受け付けると、入力された順序情報を図示しない表示機器に出力し、医師や看護師または患者が把握可能な形式で受診順序を当該表示機器に表示させる。例えば、受診順序出力部１１５は、患者識別情報（または患者識別情報により識別される患者の名前）と受診順序とが対応付けられた一覧形式で図示しない表示機器に受診順序を表示させるとしてもよい。
【００４６】
次に、図６のフローチャートを参照して、電子機器１１によって実行される処理の手順について説明する。
【００４７】
始めに、受診受付部１１１は、患者識別情報と時刻情報とを含む受付情報を受信する。受診された受付情報は、生体情報受信部１１２及び受診順序決定部１１４に送信される（ステップＳ１）。
【００４８】
続いて、生体情報受信部１１２は、受診受付部１１１から送信された受付情報を受信すると、生体センサ装置１０に記憶された生体情報を送信することを促す旨のメッセージを図示しない表示機器に表示させる。つまり、生体情報受信部１１２は、生体情報を送信するよう患者に要求する（ステップＳ２）。
【００４９】
次に、生体情報受信部１１２は、予め設定された期間内に生体センサ装置１０から送信される生体情報群を受信したか否かを判定する（ステップＳ３）。予め設定された期間内に生体情報群を受信しなかった場合（ステップＳ３のＮＯ）、生体情報受信部１１２は、患者が生体センサ装置１０を装着していないと認識して、この旨を受診順序決定部１１４に通知した後に、後述するステップＳ６の処理に進む。
【００５０】
予め設定された期間内に生体情報群を受信した場合（ステップＳ３のＹＥＳ）、生体情報受信部１１２は、受信された生体情報群を生体情報解析部１１３に送信する（ステップＳ４）。
【００５１】
続いて、生体情報解析部１１３は、生体情報受信部１１２から送信された生体情報群を受信すると、受信された生体情報群を時系列解析して、患者の定常状態をモデル化したモデル情報を生成する。生体情報解析部１１３は、受信された生体情報に含まれる複数の生体情報のうちの最新の生体情報が、モデル情報により示される患者の定常状態からどれだけ逸脱しているかを示す逸脱度を算出する。算出された逸脱度を示す解析結果情報は、受診順序決定部１１４に送信される（ステップＳ５）。
【００５２】
次に、受診順序決定部１１４は、受診受付部１１１から送信された受付情報と、生体情報受信部１１２から送信された通知と、生体情報解析部１１３から送信された解析結果情報を受信すると、受信された各種情報に基づいて優先度を算出して、受診順序を決定する。決定された受診順序を示す順序情報は、受診順序出力部１１５に送信される（ステップＳ６）。
【００５３】
しかる後、受診順序出力部１１５は、受診順序決定部１１４から送信された順序情報を受信すると、受信された順序情報を図示しない表示機器に出力して表示させることで、決定した受診順序を患者に提示し（ステップＳ７）、ここでの処理を終了させる。
【００５４】
本実施形態では、生体センサ装置１０と電子機器１１とが通信可能に接続された構成の情報処理システムについて説明したが、情報処理システムの構成は、上記構成に限定されない。情報処理システムは、例えば図７に示すように、生体センサ装置１０と、電子機器１１と、携帯機器１５とを含み、生体センサ装置１０と携帯機器１５とが通信可能に接続され、さらに、電子機器１１と携帯機器１５とが通信可能に接続された構成であってもよい。携帯機器１５は、例えば、タブレットコンピュータ、ノートブック型パーソナルコンピュータ、スマートフォン、ＰＤＡ（Personal Digital Assistant）等である。この場合、生体センサ装置１０は、所定の期間毎に、生体センサ装置１０及び携帯機器１５の双方に搭載される近距離無線通信機能等を用いて、生体情報を携帯機器１５に送信する。生体情報は、携帯機器１５内のメモリ等に記憶される。患者は、医療機関を来訪した際に携帯機器１５を用いて電子機器１１に生体情報を送信する。電子機器１１は、上記した図６に示す各種処理を実行して、決定した受診順序を示す順序情報を携帯機器１５に送信する。これにより、患者は、携帯機器１５の画面上で、決定された受診順序を確認することができる。
【００５５】
また、情報処理システムは、図８に示すように、生体センサ装置１０と、電子機器１１と、携帯機器１５と、サーバ装置１７とを含み、生体センサ装置１０と携帯機器１５とが通信可能に接続され、電子機器１１、携帯機器１５及びサーバ装置１７がインターネットを介して通信可能に接続された構成であってもよい。
【００５６】
この場合、生体センサ装置１０は、所定の期間毎に、生体センサ装置１０及び携帯機器１５の双方に搭載される近距離無線通信機能等を用いて、生体情報を携帯機器１５に送信する。携帯機器１５は、所定の期間毎に、生体センサ装置１０から送信された生体情報を患者識別情報と共にサーバ装置１７に送信する。サーバ装置１７は、生体情報記憶部１７１を備えており、携帯機器１５から送信された生体情報を患者識別情報毎に記憶する。電子機器１１は、患者が医療機関に来訪する（すなわち、受付情報を受信する）と、受付情報に含まれる患者識別情報をサーバ装置１７に送信し、当該患者識別情報に対応する生体情報を送信するよう要求する。電子機器１１は、サーバ装置１７から送信された生体情報を受信すると、上記した図６に示す各種処理を実行して、決定した受診順序を示す順序情報を携帯機器１５に送信する。このように、生体センサ装置１０や携帯機器１５に搭載されるメモリより記憶容量が大きいサーバ装置１７で生体情報を管理することで、より多くの生体情報を用いた解析処理を実行することが可能になり、ひいては、精度良く受診順序を決定することができる。
【００５７】
さらに、情報処理システムは、図９に示すように、電子機器１１の生体情報解析部１１３に相当する機能をサーバ装置１７に搭載させるとしてもよい。サーバ装置１７は、上記したように携帯機器１５から生体情報が送信されると、生体情報解析部１１３と同様な機能を有した生体情報解析部１７２を用いて、上記した図６のステップＳ５に相当する処理を実行し、解析結果情報を生成する。生成された解析結果情報は、生体情報記憶部１７１に記憶される。電子機器１１は、患者が医療機関に来訪する（すなわち、受付情報を受信する）と、受付情報に含まれる患者識別情報をサーバ装置１７に送信し、当該患者識別情報に対応する解析結果情報を送信するよう要求する。電子機器１１は、サーバ装置１７から送信された解析結果情報を受信すると、上記した図６に示すステップＳ６及びステップＳ７の処理を実行して、決定した受診順序を示す順序情報を携帯機器１５に送信する。このように、電子機器１１の機能の一部をサーバ装置１７に搭載することで、予め解析処理を実行することが可能になり、ひいては、より早く順序情報を携帯機器１５に送信することができる。
【００５８】
以上説明した一実施形態によれば、生体センサ装置１０と電子機器１１とを含む情報処理システムにおいて、電子機器１１は、生体センサ装置１０により連続的に計測された生体情報に基づいて患者の定常状態をモデル化し、上記計測された生体情報がモデル化された患者の定常状態からどれだけ逸脱しているかを判断した上で受診順序を決定することができる。すなわち、受診順序を好適に決定することができる。
【００５９】
これまで、患者の生体情報のあらかじめ定められた一定の閾値からの逸脱度を基に、優先順序を決定する方法が提案されてきたが、本実施形態によれば、患者個々人の定常状態を考慮し、より正確な優先順序の決定ができるようになる。
【００６０】
なお、本実施形態の処理は、コンピュータプログラムによって実現することができるので、このコンピュータプログラムを格納したコンピュータ読み取り可能な記憶媒体を通じてこのコンピュータプログラムをコンピュータにインストールして実行するだけで、本実施形態と同様の効果を容易に実現することができる。
【００６１】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６２】
１０…生体センサ装置、１１…電子機器、１１１…受診受付部、１１２…生体情報受信部、１１３…生体情報解析部、１１４…受診順序決定部、１１５…受診順序出力部
【図１】
2015114761.tif 000004
【図２】
2015114761.tif 000005
【図３】
2015114761.tif 000006
【図４】
2015114761.tif 000007
【図５】
2015114761.tif 000008
【図６】
2015114761.tif 000009
【図７】
2015114761.tif 000010
【図８】
2015114761.tif 000011
【図９】
2015114761.tif 000012